(57)【要約】【課題】遮蔽幕を汚さずに冷蔵倉庫に出入りできるようにしたフォークリフトを提供することを目的とする。【解決手段】アウタマスト５上部にインナマスト６の昇降を案内する上部ガイドローラ１０を前記アウタマスト５の上面及び前面からはみ出すように支持させたフォークリフトにおいて、前記上部ガイドローラ１０を前方から覆うガイドローラカバー１４が前記アウタマスト５に支持される。これにより、フォークリフトが遮蔽幕を押しのけるときに、遮蔽幕がガイドローラカバー１４に受止められて、上部ガイドローラ１０に接触しなくなり、上部ガイドローラ１０の表面のグリスが遮蔽幕に付着するおそれがなくなる。【選択図】　図１
2004091069.tif 000002
【特許請求の範囲】
【請求項１】
アウタマスト上部にインナマストの昇降を案内する上部ガイドローラを前記アウタマストの上面及び／又は前面からはみ出すように支持させたフォークリフトにおいて、
前記上部ガイドローラを前方及び／又は上方から覆うガイドローラカバーが前記アウタマストまたはインナマストに支持されていることを特徴とするフォークリフト。
【請求項２】
アウタマスト上部にミドルマストの昇降を案内するミドルマスト用上部ガイドローラを前記アウタマストの上面及び／又は前面からはみ出すように支持させると共に、前記ミドルマストの上部にインナマストの昇降を案内するインナマスト用上部ガイドローラを該ミドルマストの上面及び／又は前面からはみ出すように支持させたフォークリフトにおいて、
前記ミドルマスト用上部ガイドローラ及びインナマスト用上部ガイドローラを前方及び／又は上方から覆うガイドローラカバーが前記アウタマスト、インナマスト、ミドルマストのいずれかに支持されていることを特徴とするフォークリフト。
【発明の詳細な説明】
【０００１】
【発明の属する技術分野】
本発明は、フォークリフトに関する。
【０００２】
【従来の技術】
図１０の側面図に示すように、例えばカウンタバランス型フォークリフトは、車体１０１の前部にマスト１０２がティルト可能に支持され、このマスト１０２に昇降可能に支持されたリフトブラケット１０３にフォーク１０４を支持させてある。
【０００３】
図１１の斜視図に示すように、前記マスト１０２は、下部が車体１０１にティルト可能に支持される左右のアウタマスト１０５とこれを案内にして昇降するインナマスト１０６とを備え、図１０に示す車体１０１とアウタマスト１０５とにわたって架着されたティルトシリンダ１０７でティルト駆動され、アウタマスト１０５に支持させたリフトシリンダ１０８によりインナマスト１０６を昇降させるようにしている。
【０００４】
図１１の斜視図に示すように、アウタマスト１０５及びインナマスト１０６は車体１０１の幅方向中央側に開放された溝型に形成され、インナマスト１０６の背１０６ａの後部には、アウタマスト１０５の後側のフランジ１０５ｂに後方から受止められるガイドレール１０６ｂが設けられる。
【０００５】
図１０に示すように、このインナマスト１０６の昇降を円滑にするために、インナマスト１０６の下部にアウタマスト１０５の前後のフランジ１０５ａ、１０５ｂに転設させる下部ガイドローラ１０９を回転自在に支持させると共に、インナマスト１０６のガイドレール１０６ｂの前面に転設させる上部ガイドローラ１１０をアウタマスト１０５の上部に回転自在に支持させる。
【０００６】
左右のアウタマスト１０５は、その上部の左右間隔を保持するために連結枠１１１で連結され、左右のインナマスト１０６は、その上部の左右間隔を保持すると共に、前記リフトシリンダ１０８を連結するために、別の連結枠１１２で連結される。
【０００７】
この連結枠１１２にはチェーンガイドローラ１１３が回転自在に支持され、一端がアウタマスト１０５に連結され、他端がリフトブラケット１０３に連結されるチェーンをこのチェーンガイドローラ１１３に逆Ｕ字形に巻き掛けることにより、インナマスト１０６が昇降する速度の２倍の速度でリフトブラケット１０３及びフォーク１０４が昇降するようにしている。
【０００８】
図１２の側面図に示すように、前記上部ガイドローラ１１０は、昇降案内の安定性を高めるため、アウタマスト１０５の上面及び前面にはみ出す程度に大径に形成され、又、その周面には昇降案内を一層円滑にするためにグリスが塗着される。
【０００９】
又、図１３の斜視図に示すように、マストの中には左右のアウタマスト１０５と、各アウタマスト１０５に案内されて昇降する左右のミドルマスト１１４と、各ミドルマスト１１４に案内されて昇降する左右のインナマスト１０６とを備えるものがある。
【００１０】
この構造のマストでは、ミドルマスト１１４とインナマスト１０６とは同じような断面形状に形成され、ミドルマスト１１４の下部にアウタマスト１０５の前後のフランジ１０５ａ、１０５ｂに転接させるミドルマスト用下部ガイドローラを回転自在に支持させ、アウタマスト１０５の上部にミドルマスト１１４のガイドレール１１４ａに転接させるミドルマスト用上部ガイドローラ１１５を回転自在に支持させる。
【００１１】
又、インナマスト１０６の下部にミドルマスト１１４の前後のフランジ１１４ｂ、１１４ｃに転接させるインナマスト用下部ガイドローラが回転自在に支持され、ミドルマスト１１４の上部にインナマスト１０６のガイドレール１０６ｂに転接させるインナマスト用上部ガイドローラ１１６が回転自在に支持される。
【００１２】
この構造に用いられるミドルマスト用上部ガイドローラ１１５はアウタマスト１０５の上面及び前面からはみ出す程度に大径に形成され、又、インナマスト用上部ガイドローラ１１６はミドルマスト１１４の上面及び前面からはみ出す程度に大径に形成され、これらミドルマスト用上部ガイドローラ１１５及びインナマスト用上部ガイドローラ１１６の周面にはグリスが塗られている。
【００１３】
フォークリフトには、このカウンタバランス型のものの他にマストが車体に前後或いは左右に進退可能に支持され、マストに昇降可能に支持されたリフトブラケットにフォークをティルト可能に支持させたリーチ型フォークリフトがあるが、このリーチ型フォークリフトのマストもアウタマストが車体に進退可能に支持されることを除けばカウンタバランス型のものと同様に構成される。
【００１４】
【発明が解決しようとする課題】
ところで、食品などを貯蔵する冷蔵倉庫においては、フォークリフトが出入りする出入り口に庫内の冷気が庫外に流出したり、庫外の空気が庫内に流入したりすることを防止するためにビニールカーテンなどの遮蔽幕が設けられる。
【００１５】
フォークリフトがこの出入り口を通り抜ける時には、通常、マスト１０２を低くして、この遮蔽幕を押しのけて通っており、この際に上部ガイドローラ１１０、ミドルマスト用上部ガイドローラ１１５、インナマスト用上部ガイドローラ１１６などが遮蔽幕を押しのけることにより、その表面に塗着されたグリスが遮蔽幕に付着して、遮蔽幕が汚れるという問題がある。
【００１６】
本発明は、この従来技術の課題を解決し、遮蔽幕を汚さずに冷蔵倉庫に出入りできるようにしたフォークリフトを提供することを目的とする。
【００１７】
【課題を解決するための手段】
この目的を達成するため、本発明に係るフォークリフト（以下、本第１発明という。）は、アウタマスト上部にインナマストの昇降を案内する上部ガイドローラを前記アウタマストの上面及び／又は前面からはみ出すように支持させたフォークリフトにおいて、前記上部ガイドローラを前方及び／又は上方から覆うガイドローラカバーが前記アウタマストまたはインナマストに支持されていることを特徴とする、という技術的手段を採用する。
【００１８】
これによれば、フォークリフトが遮蔽幕を押しのけるときに、遮蔽幕がガイドローラカバーに受止められて、上部ガイドローラに接触しなくなるので、上部ガイドローラの表面のグリスが遮蔽幕に付着するおそれがなくなる。
【００１９】
又、本発明の係る他のフォークリフト（以下、本第２発明という。）は、前記目的を達成するため、アウタマスト上部にミドルマストの昇降を案内するミドルマスト用上部ガイドローラを前記アウタマストの上面及び／又は前面からはみ出すように支持させると共に、前記ミドルマストの上部にインナマストの昇降を案内するインナマスト用上部ガイドローラを該ミドルマストの上面及び／又は前面からはみ出すように支持させたフォークリフトにおいて、前記ミドルマスト用上部ガイドローラ及びインナマスト用上部ガイドローラを前方及び／又は上方から覆うガイドローラカバーが前記アウタマスト、インナマスタ、ミドルマスタのいずれかに支持されていることを特徴とする、という技術的手段を採用する。
【００２０】
これによれば、フォークリフトが遮蔽幕を押しのけるときに、遮蔽幕がガイドローラカバーに受止められて、ミドルマスト用上部ガイドローラ及びインナマスト用上部ガイドローラに接触しなくなるので、これらミドルマスト用上部ガイドローラ及びインナマスト用上部ガイドローラの表面のグリスが遮蔽幕に付着するおそれがなくなる。
【００２１】
ところで、前記ガイドローラカバーの形状は、フォークリフトが遮蔽幕を押しのける時に遮蔽幕を上部ガイドローラ、又は、ミドルマスト用上部ガイドローラ及びインナマスト用上部ガイドローラに接触させない形状に形成されていればよく、例えば上部ガイドローラ、又は、ミドルマスト用上部ガイドローラ及びインナマスト用上部ガイドローラを前方及び／又は上方から覆う板状に形成したり、上部ガイドローラ、又は、ミドルマスト用上部ガイドローラ及びインナマスト用上部ガイドローラを前方及び／又は上方から覆う面の周囲を囲む骨枠状に形成したりすることができる他、線状ないし棒状に形成することも可能である。
【００２２】
もちろん、ガイドローラカバーの材質は特に限定されず、例えば鉄、ステンレス鋼を含む鋼、アルミニウムなどの金属、ＦＲＰを含む合成樹脂などを用いることができる。
【００２３】
【発明の実施の形態】
以下、本発明の実施例に係るフォークリフトを図面に基づいて具体的に説明する。図面において、図１は本発明の一実施例に係るフォークリフトのマストの斜視図であり、図２はその側面図であり図３はその正面図であり、図４はその平面図である。又、図５はそのフォークリフトの側面図である。
【００２４】
この図５に示すように、この実施例に係るフォークリフトは、車体１の前部にマスト２がティルト可能に支持され、このマスト２に昇降可能に支持されたリフトブラケット３にフォーク４を支持させてある。
【００２５】
図１に示すように、前記マスト２は、下部が車体１にティルト可能に支持される左右のアウタマスト５とこれを案内にして昇降する左右のインナマスト６とを備え、図５に示す車体１とアウタマスト５とにわたって架着されたティルトシリンダ７でティルト駆動され、アウタマスト５に支持させたリフトシリンダ８によりインナマスト６を昇降させるようにしている。
【００２６】
図１と図４とに示すように、アウタマスト５及びインナマスト６は車体１の幅方向中央側に開放された溝型に形成され、インナマスト６の背６ａの後部には、アウタマスト５の後側のフランジ５ｂに後方から受止められるガイドレール６ｂが設けられる。
【００２７】
図５に示すように、このインナマスト６の昇降を円滑にするために、インナマスト６の下部にアウタマスト５の前後のフランジ５ａ、５ｂ（図４参照）に転設させる下部ガイドローラ９を回転自在に支持させると共に、インナマスト６のガイドレール６ｂの前面に転設させる上部ガイドローラ１０をアウタマスト５の上部に回転自在に支持させる。
【００２８】
左右のアウタマスト５は、その上部の左右間隔を保持するために連結枠１１で連結され、左右のインナマスト６は、その上部の左右間隔を保持すると共に、前記リフトシリンダ８を連結するために、別の連結枠１２で連結される。
【００２９】
左右のインナマスト６には、それぞれチェーンガイドローラ１３が回転自在に支持され、一端がアウタマスト５に連結され、他端がリフトブラケット３に連結されるチェーンをこのチェーンガイドローラ１３に逆Ｕ字形に巻き掛けることにより、インナマスト６が昇降する速度の２倍の速度でリフトブラケット３及びフォーク４が昇降するようにしている。
【００３０】
図２に示すように、前記上部ガイドローラ１０は、昇降案内の安定性を高めるため、アウタマスト５の上面及び前面からはみ出す程度に大径に形成され、又、その周面には昇降案内を一層円滑にするためにグリスが塗着される。
【００３１】
図１ないし図４に示すように、このフォークリフトには、前記上部ガイドローラ１０を前方から覆うガイドローラカバー１４が設けられる。このガイドローラカバー１４は、前記上部ガイドローラ１０の全体を前方から覆う本体１４ａと、この本体１４ａの左（又は右）側縁から後方に延びるフランジ１４ｂとからなり、図１及び図３に示すように、このフランジ１４ｂの後部が間挿材１５を介して２本のボルト１６で前記アウタマスト５に固定される。
【００３２】
これにより、フォークリフトが遮蔽幕を押しのけて前進する時に、遮蔽幕はガイドローラカバー１４に受止められて、上部ガイドローラ１０に接触しなくなるので、上部ガイドローラ１０の周面に塗着されたグリスが遮蔽幕に着くおそれがなくなり、遮蔽幕がグリスで汚されるおそれがなくなる。
【００３３】
図６は本発明の他の実施例に係るフォークリフトの要部の斜視図であり、この図５に示すガイドローラカバー１４は、適当な太さの鋼線材を曲げて形成したものである。
【００３４】
この実施例のその他の構成、作用ないし効果は前記本発明の一実施例のそれらと同様である。
【００３５】
図７は本発明の又他の実施例に係るフォークリフトの要部の斜視図であり、この図６に示すガイドローラカバー１４は、丸棒材をＬ字形に曲げ、一端部を平たく押し潰してフランジ状に形成したものである。
【００３６】
この実施例のその他の構成、作用ないし効果は前記本発明の各実施例のそれらと同様である。
【００３７】
図８は本発明の更に他の実施例に係るフォークリフトの要部の斜視図であり、このガイドローラカバー１４は上部ガイドローラ１０を上方から覆うようにしている。このガイドローラカバーの前縁は上部ガイドローラ１０よりも前方に延出され、かつ遮蔽幕を突き破らないようにするために、下方に円滑に湾曲させてある。
【００３８】
この実施例のその他の構成、作用ないし効果は前記各実施例のそれらと同様である。
【００３９】
図９は本発明の更に他の実施例に係るフォークリフトのマストの斜視図であり、この図９に示すフォークリフトのマスト２は左右のアウタマスト５と、各アウタマスト５に案内されて昇降する左右のミドルマスト１７と、各ミドルマスト１７に案内されて昇降する左右のインナマスト６とを備える。
【００４０】
ミドルマスト１７とインナマスト６とは同じような断面形状に形成され、ミドルマスト１７の下部にアウタマスト５の前後のフランジに転接させるミドルマスト用下部ガイドローラが回転自在に支持され、アウタマスト５の上部にミドルマスト１７のガイドレール１７ａに転接させるミドルマスト用上部ガイドローラ１８が回転自在に支持されている。
【００４１】
又、インナマスト６の下部にミドルマスト１７の前後のフランジ１７ａ，１７ｂに転接させるインナマスト用下部ガイドローラが回転自在に支持され、ミドルマスト１７の上部にインナマスト６のガイドレール６ｂに転接させるインナマスト用上部ガイドローラ１９が回転自在に支持される。
【００４２】
前記ミドルマスト用上部ガイドローラ１８はアウタマスト５の上面及び前面からはみ出す程度に大径に形成され、又、インナマスト用上部ガイドローラ１９はミドルマスト１７の上面及び前面からはみ出す程度に大径に形成され、これらミドルマスト用上部ガイドローラ１８及びインナマスト用上部ガイドローラ１９の周面にはグリスが塗られている。
【００４３】
前記アウタマスト５の上部にはミドルマスト用上部ガイドローラ１８及びインナマスト用上部ガイドローラ１９を前方から覆うガイドローラカバー１４が固定されている。
【００４４】
これにより、フォークリフトが遮蔽幕を押しのけて前進する時に、遮蔽幕はガイドローラカバー１４に受止められて、ミドルマスト用上部ガイドローラ１８及びインナマスト用上部ガイドローラ１９に接触しなくなるので、これらミドルマスト用上部ガイドローラ１８及びインナマスト用上部ガイドローラ１９の周面に塗着されたグリスが遮蔽幕に着くおそれがなくなり、遮蔽幕がグリスで汚されるおそれがなくなる。
【００４５】
この実施例のその他の構成、作用ないし効果は前記本発明の各実施例のそれらと同様である。
【００４６】
なお、前記においては、ガイドローラカバー１４がアウタマスト５に固定されている場合について説明しているが、このガイドローラカバー１４は、インナマスまたはミドルマスト１７に固定されていてもよい。
【００４７】
【発明の効果】
以上に説明したように、本第１発明は、アウタマスト上部にインナマストの昇降を案内する上部ガイドローラを前記アウタマストの上面及び／又は前面からはみ出すように支持させたフォークリフトにおいて、前記上部ガイドローラを前方及び／又は上方から覆うガイドローラカバーが前記アウタマストまたはインナマストに支持されていることを特徴とするので、本第１発明によれば、フォークリフトが遮蔽幕を押しのけるときに、遮蔽幕がガイドローラカバーに受止められて、上部ガイドローラに接触しなくなるという作用を得ることができ、この作用により上部ガイドローラの表面のグリスが遮蔽幕に付着するおそれがなくなるという効果を得ることができる。
【００４８】
又、本第２発明は、アウタマスト上部にミドルマストの昇降を案内するミドルマスト用上部ガイドローラを前記アウタマストの上面及び／又は前面からはみ出すように支持させると共に、前記ミドルマストの上部にインナマストの昇降を案内するインナマスト用上部ガイドローラを該ミドルマストの上面及び／又は前面からはみ出すように支持させたフォークリフトにおいて、前記ミドルマスト用上部ガイドローラ及びインナマスト用上部ガイドローラを前方及び／又は上方から覆うガイドローラカバーが前記アウタマスト、インナマスト、ミドルマストのいずれかに支持されていることを特徴とするので、以下の作用ないし効果を得ることができる。
【００４９】
即ち、本第２発明によれば、フォークリフトが遮蔽幕を押しのけるときに、遮蔽幕がガイドローラカバーに受止められて、ミドルマスト用上部ガイドローラ及びインナマスト用上部ガイドローラに接触しなくなるという作用が得られるので、これらミドルマスト用上部ガイドローラ及びインナマスト用上部ガイドローラの表面のグリスが遮蔽幕に付着するおそれがなくなるという効果をえることができる。
【図面の簡単な説明】
【図１】本発明の斜視図である。
【図２】本発明の側面図である。
【図３】本発明の正面図である。
【図４】本発明の平面図である。
【図５】本発明の側面図である。
【図６】本発明の斜視図である。
【図７】本発明の斜視図である。
【図８】本発明の斜視図である。
【図９】本発明の斜視図である。
【図１０】従来例の側面図である。
【図１１】従来例の斜視図である。
【図１２】従来例の側面図である。
【図１３】従来例の斜視図である。
【符号の説明】
５　アウタマスト
６　インナマスト
１０　上部ガイドローラ
１４　ガイドローラカバー
１７　ミドルマスト
１８　ミドルマスト用上部ガイドローラ
１９　インナマスト用上部ガイドローラ
【図１】
2004091069.tif 000003
【図２】
2004091069.tif 000004
【図３】
2004091069.tif 000005
【図４】
2004091069.tif 000006
【図５】
2004091069.tif 000007
【図６】
2004091069.tif 000008
【図７】
2004091069.tif 000009
【図８】
2004091069.tif 000010
【図９】
2004091069.tif 000011
【図１０】
2004091069.tif 000012
【図１１】
2004091069.tif 000013
【図１２】
2004091069.tif 000014
【図１３】
2004091069.tif 000015